(57)【特許請求の範囲】
【請求項１】
配信システムであって、
画像を表示する表示手段と、画像データのダウンロードを要求する手段と、ダウンロードされた画像データに基づいて、前記表示手段に画像を表示させる画像制御手段とを有する携帯端末と、
キャラクターの形状が施され、前記携帯端末を収納した状態で前記携帯端末の表示手段に表示された画像が視認可能な収容装置と、
前記収容装置に施されたキャラクターの一部に対応する画像の画像データが格納された記憶手段と、携帯端末から画像データのダウンロードの要求に応答して、前記携帯端末に画像データを配信する画像配信手段とを有するコンテンツサーバとを有し、
前記収容装置に前記携帯端末が収容された状態でダウンロードされた画像データの画像を前記携帯端末の表示部に表示させることにより、前記収容装置に施されたキャラクターの形状と、前記携帯端末の表示部に表示されるキャラクターの一部の画像とが一体となって一つのキャラクターを形成することを特徴とする配信システム。
【請求項２】
前記コンテンツサーバは、前記収容装置に施されたキャラクターに関連するメロディのメロディデータが格納された記憶手段と、携帯端末からメロディデータのダウンロードの要求に応答して、前記携帯端末にメロディデータを配信するメロディデータ配信手段とを更に有し、
前記携帯端末は、メロディを出力する出力手段と、メロディデータのダウンロードを要求する手段と、ダウンロードされたメロディデータに基づいて、前記出力手段にメロディを出力させるメロディ制御手段とを更に有することを特徴とする請求項１に記載の配信システム。
【請求項３】
前記コンテンツサーバは、
収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段とを有し、
前記携帯端末は、
複数の画像データと、これに対応したメロディデータのダウンロードをサーバに要求する手段と、
前記ダウンロードした複数の画像データ及びこれに対応したメロディデータが携帯端末の通信状況を示す情報に対応して格納される記憶手段と、
携帯端末の通信状況を判断し、これに対応した画像の画像データを前記記憶手段から読み出して表示手段に表示させるとともに、表示される画像に対応するメロディデータを前記記憶手段から読み出して出力手段にメロディを出力させる手段とを有する
ことを特徴とする請求項１又は請求項２に記載の配信システム。
【請求項４】
携帯端末の通信状況が、呼の待ち受け状況、呼の着信状況及び電子メールの着信状況であり、サーバに格納されている画像データ及びメロディデータが、前記呼の待ち受け状況、呼の着信状況及び電子メールの着信状況に対応したものであることを特徴とする請求項３に記載の配信システム。
【請求項５】
携帯端末システムであって、
携帯端末とこの携帯端末を収容する収容装置とを有し、
前記収容装置は、キャラクターの形状が施され、前記携帯端末を収納した状態で前記携帯端末に表示された画像が視認可能であり、
前記携帯端末は、
画像を表示する表示手段と、
携帯端末の通信状況に応じて、前記収容装置に施されたキャラクターの一部に対応する画像の画像データが格納された記憶手段と、
通信状況を判断し、これに対応した画像の画像データを前記記憶手段から読み出して前記表示手段に画像を表示させる画像制御手段とを有する
ことを特徴とする携帯端末システム。
【請求項６】
前記携帯端末は、
前記収容装置に施されたキャラクターに関連するメロディのメロディデータが格納された記憶手段と、
メロディを出力する出力手段と、
前記記憶手段に格納されているメロディデータに基づいて、前記出力手段にメロディを出力させるメロディ制御手段とを更に有する
ことを特徴とする請求項５に記載の携帯端末システム。
【請求項７】
携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものである
ことを特徴とする請求項５又は請求項６に記載の携帯端末システム。
【請求項８】
前記収容装置は、
キャラクター背面側の形状が施された第１のカバーと、
前記キャラクターの正面側の形状が施され、かつ、前記携帯端末の表示部に表示される画像が視認可能な開口部又は透明部が少なくとも設けられた第２カバーとを有し、
前記第１のカバーと第２のカバーとが嵌装されて携帯端末が収納されることを特徴とする請求項１から請求項７のいずれかに記載の配信システム又は携帯端末システム。
【請求項９】
配信システムであって、
キャラクターの形状が施された筐体と、画像を表示する表示手段と、画像データのダウンロードを要求する手段と、ダウンロードされた画像データに基づいて、前記表示手段に画像を表示させる画像制御手段とを有する携帯端末と、
前記携帯端末の筐体に施されたキャラクターの一部に対応する画像の画像データが格納された記憶手段と、携帯端末から画像データのダウンロードの要求に応答して、前記携帯端末に画像データを配信する画像配信手段とを有するコンテンツサーバとを有し、
ダウンロードされた画像データの画像を前記携帯端末の表示部に表示させることにより、前記携帯端末の筐体に施されたキャラクターの形状と、前記携帯端末の表示部に表示されるキャラクターの一部の画像とが一体となって一つのキャラクターを形成することを特徴とする配信システム。
【請求項１０】
前記コンテンツサーバは、前記携帯端末の筐体に施されたキャラクターに関連するメロディのメロディデータが格納された記憶手段と、携帯端末からメロディデータのダウンロードの要求に応答して、前記携帯端末にメロディデータを配信するメロディデータ配信手段とを更に有し、
前記携帯端末は、メロディを出力する出力手段と、メロディデータのダウンロードを要求する手段と、ダウンロードされたメロディデータに基づいて、前記出力手段にメロディを出力させるメロディ制御手段とを更に有する
ことを特徴とする請求項９に記載の配信システム。
【請求項１１】
携帯端末であって、
キャラクターの形状が施された筐体と、
画像を表示する表示手段と、
前記キャラクターの一部に対応した複数の画像の画像データと、前記各画像に対応したメロディのメロディデータとが通信状況を示す情報に対応して格納された記憶手段と、
前記記憶手段に格納された画像データに基づいて、前記表示手段に画像を表示させる画像制御手段と、
携帯端末の通信状況を判断し、これに対応した画像の画像データを前記記憶手段から読み出して表示手段に表示させるとともに、表示される画像に対応するメロディデータを前記記憶手段から読み出して出力手段にメロディを出力させる手段
とを有することを特徴とする携帯端末。
【請求項１２】
携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものであることを特徴とする請求項１１に記載の携帯端末。
【請求項１３】
キャラクターの形状が施された収容装置に収容される携帯端末に、画像を配信するサーバであって、
収容装置に施されたキャラクターの一部に対応する画像の画像データが格納された記憶手段と、
携帯端末から画像データのダウンロードの要求に応答して、前記携帯端末に画像データを配信する画像配信手段
とを有することを特徴とするサーバ。
【請求項１４】
前記サーバは、
収容装置に施されたキャラクターに関連するメロディのメロディデータが格納された記憶手段と、
携帯端末からメロディデータのダウンロードの要求があると、前記携帯端末にメロディデータを配信するメロディデータ配信手段
とを更に有することを特徴とする請求項１３に記載のサーバ。
【請求項１５】
前記サーバは、
携帯端末の通信状況に応じて、収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段
とを更に有することを特徴とする請求項１３又は請求項１４に記載のサーバ。
【請求項１６】
キャラクターの形状の携帯端末に、画像を配信するサーバであって、
前記携帯端末に施されたキャラクターの一部に対応する画像の画像データが格納された記憶手段と、
携帯端末から画像データのダウンロードの要求に応答して、前記携帯端末に画像データを配信する画像配信手段
とを有することを特徴とするサーバ。
【請求項１７】
前記サーバは、
前記携帯端末に施されたキャラクターに関連するメロディのメロディデータが格納された記憶手段と、
携帯端末からメロディデータのダウンロードの要求があると、前記携帯端末にメロディデータを配信するメロディデータ配信手段
とを更に有することを特徴とする請求項１６に記載のサーバ。
【請求項１８】
キャラクターの形状が施された収容装置に収容される携帯端末に、画像を配信するサーバの為のプログラムであって、前記プログラムは前記サーバを、
収容装置に施されたキャラクターの一部に対応する画像の画像データが格納された記憶手段と、
携帯端末から画像データのダウンロードの要求に応答して、前記携帯端末に画像データを配信する画像配信手段として機能させる
こと特徴とするプログラム。
【請求項１９】
前記プログラムは、サーバを、
前記収容装置に施されたキャラクターに関連するメロディのメロディデータが格納された記憶手段と、
携帯端末からメロディデータのダウンロードの要求があると、前記携帯端末にメロディデータを配信するメロディデータ配信手段として更に機能させる
ことを特徴とする請求項１８に記載のプログラム。
【請求項２０】
前記プログラムは、サーバを、
携帯端末の通信状況に応じて、収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段として更に機能させる
ことを特徴とする請求項１８又は請求項１９に記載のプログラム。
【請求項２１】
キャラクターの形状の携帯端末に、画像を配信するサーバの為のプログラムであって、前記プログラムは前記サーバを、
前記携帯端末に施されたキャラクターの一部に対応する画像の画像データが格納された記憶手段と、
携帯端末から画像データのダウンロードの要求に応答して、前記携帯端末に画像データを配信する画像配信手段として機能させる
ことを特徴とするプログラム。
【請求項２２】
前記プログラムは、
前記携帯端末に施されたキャラクターに関連するメロディのメロディデータが格納された記憶手段と、
携帯端末からメロディデータのダウンロードの要求があると、前記携帯端末にメロディデータを配信するメロディデータ配信手段として更に機能させる
ことを特徴とする請求項２１に記載のプログラム。
【請求項２３】
前記プログラムは、サーバを、
携帯端末の通信状況に応じて、携帯端末に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段として更に機能させる
ことを特徴とする請求項２１又は請求項２２に記載のプログラム。
【請求項２４】
キャラクターの形状の携帯端末、又はキャラクターの形状の収容装置に収容された携帯端末のプログラムであって、前記プログラムは前記携帯端末を、
携帯端末の通信状況に応じて、キャラクターの一部に対応した複数の画像の画像データと、前記各画像に対応したメロディのメロディデータとが通信状況を示す情報に対応して格納された記憶手段と、
画像を表示する表示手段と、
メロディを出力する出力手段と、
通信状況を判断し、これに対応した画像の画像データを前記記憶手段から読み出して表示手段に表示させるともに、表示される画像に対応するメロディデータを前記記憶手段から読み出して出力手段にメロディを出力させる手段として機能させる
こと特徴とするプログラム。
【請求項２５】
携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものである
ことを特徴とする請求項２４に記載のプログラム。
【請求項２６】
コンテンツサーバから所定のキャラクターの一部の画像をダウンロードし、その画像を表示する携帯端末が収容される収容装置であって、
前記ダウンロードされる画像に対応するキャラクターの形状が施され、少なくとも携帯端末の表示部が視認可能な開口部又は透明部が設けられた
ことを特徴とする収容装置。
【請求項２７】
前記収容装置は、
キャラクター背面側の形状が施された第１のカバーと、
前記キャラクターの正面側の形状が施され、かつ、前記携帯端末の表示部に表示される画像が視認可能な開口部又は透明部が少なくとも設けられた第２カバーとを有し、
前記第１のカバーと第２のカバーとが嵌装されて携帯端末が収納されることを特徴とする請求項２６に記載の収容装置。
【発明の詳細な説明】
【０００１】
【発明が属する技術分野】
本発明は配信システムに関し、特に、携帯端末を収容する収容装置と携帯端末にダウンロードされるコンテンツとが連動した配信システムと、それに用いられるサーバ、収容装置、又は携帯端末システムと、プログラムに関する。
【０００２】
【従来の技術】
近年、ｉモードに代表されるように、近年の携帯電話のサービスは、従来の設置型の電話のように単なる通話サービスのみならず、コンテンツサーバからコンテンツ、例えば待ち受け画面、着信メロディやゲーム等を携帯電話に配信するサービスが盛んに行われている。
【０００３】
一方で、携帯電話を塗装したり、携帯電話を装飾が施された収容装置（例えば、ケース）に収容したりと、個人の趣向に合わせて携帯電話自体にオリジナリティを持たせることも行われている。
【０００４】
【発明が解決しようとする課題】
しかしながら、コンテンツサーバからダウンロードしたコンテンツと、携帯電話の容姿とが連動して、視覚的、又は聴覚的に楽しめるような技術はなかった。
【０００５】
そこで、本発明は上記問題点に鑑みて発明されたものであって、その目的は携帯端末の容姿とコンテンツサーバからダウンロード、又は予めプリインストールされたコンテンツとが連動して、一つのコンテンツとして楽しめる技術を提供することにある。
【０００６】
また、本発明の目的は、携帯端末又はこれを収容する収容装置に施されたキャラクターと、サーバからダウンロード、又は予めプリインストールされた、キャラクターに関連するコンテンツとを連動させて、一つのキャラクターを視覚的又／及び聴覚的に表現する技術を提供することにある。
【０００７】
【課題を解決するための手段】
上記目的を達成する第１の発明は、配信システムであって、
画像を表示する表示手段と、画像データのダウンロードを要求する手段と、ダウンロードされた画像データに基づいて、前記表示手段に画像を表示させる画像制御手段とを有する携帯端末と、
キャラクターの形状が施され、前記携帯端末を収納した状態で前記携帯端末の表示手段に表示された画像が視認可能な収容装置と、
前記収容装置に施されたキャラクターの一部に対応する画像の画像データが格納された記憶手段と、携帯端末から画像データのダウンロードの要求に応答して、前記携帯端末に画像データを配信する画像配信手段とを有するコンテンツサーバとを有し、
前記収容装置に前記携帯端末が収容された状態でダウンロードされた画像データの画像を前記携帯端末の表示部に表示させることにより、前記収容装置に施されたキャラクターの形状と、前記携帯端末の表示部に表示されるキャラクターの一部の画像とが一体となって一つのキャラクターを形成することを特徴とする。
【０００８】
上記目的を達成する第２の発明は、上記第１の発明において、前記コンテンツサーバは、前記収容装置に施されたキャラクターに関連するメロディのメロディデータが格納された記憶手段と、携帯端末からメロディデータのダウンロードの要求に応答して、前記携帯端末にメロディデータを配信するメロディデータ配信手段とを更に有し、
前記携帯端末は、メロディを出力する出力手段と、メロディデータのダウンロードを要求する手段と、ダウンロードされたメロディデータに基づいて、前記出力手段にメロディを出力させるメロディ制御手段とを更に有する
ことを特徴とする。
【０００９】
上記目的を達成する第３の発明は、上記第１又は第２の発明において、前記コンテンツサーバは、
収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段とを有し、
前記携帯端末は、
複数の画像データと、これに対応したメロディデータのダウンロードをサーバに要求する手段と、
前記ダウンロードした複数の画像データ及びこれに対応したメロディデータが携帯端末の通信状況を示す情報に対応して格納される記憶手段と、
携帯端末の通信状況を判断し、これに対応した画像の画像データを前記記憶手段から読み出して表示手段に表示させるとともに、表示される画像に対応するメロディデータを前記記憶手段から読み出して出力手段にメロディを出力させる手段とを有する
ことを特徴とする。
【００１０】
上記目的を達成する第４の発明は、上記第３の発明において、携帯端末の通信状況が、呼の待ち受け状況、呼の着信状況及び電子メールの着信状況であり、サーバに格納されている画像データ及びメロディデータが、前記呼の待ち受け状況、呼の着信状況及び電子メールの着信状況に対応したものであることを特徴とする。
【００１１】
上記目的を達成する第５の発明は、
携帯端末システムであって、
携帯端末とこの携帯端末を収容する収容装置とを有し、
前記収容装置は、キャラクターの形状が施され、前記携帯端末を収納した状態で前記携帯端末に表示された画像が視認可能であり、
前記携帯端末は、
画像を表示する表示手段と、
携帯端末の通信状況に応じて、前記収容装置に施されたキャラクターの一部に対応する画像の画像データが格納された記憶手段と、
通信状況を判断し、これに対応した画像の画像データを前記記憶手段から読み出して前記表示手段に画像を表示させる画像制御手段とを有する
ことを特徴とする。
【００１２】
上記目的を達成する第６の発明は、上記第５の発明において、前記携帯端末は、
前記収容装置に施されたキャラクターに関連するメロディのメロディデータが格納された記憶手段と、
メロディを出力する出力手段と、
前記記憶手段に格納されているメロディデータに基づいて、前記出力手段にメロディを出力させるメロディ制御手段と
を更に有することを特徴とする。
【００１３】
上記目的を達成する第７の発明は、上記第５又は第６の発明において、前記携帯端末は、
携帯端末の通信状況に応じて、収容装置に施されたキャラクターの一部に対応した複数の画像の画像データと、前記各画像に対応したメロディのメロディデータとが通信状況を示す情報に対応して格納された記憶手段と、
通信状況を判断し、これに対応した画像の画像データを前記記憶手段から読み出して表示手段に表示させるとともに、表示される画像に対応するメロディデータを前記記憶手段から読み出して出力手段にメロディを出力させる手段とを有する
ことを特徴とする。
【００１４】
上記目的を達成する第８の発明は、上記第７の発明において、携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものである
ことを特徴とする。
【００１５】
上記目的を達成する第９の発明は、上記第１から第８のいずれかの発明において、前記収容装置は、
キャラクター背面側の形状が施された第１のカバーと、
前記キャラクターの正面側の形状が施され、かつ、前記携帯端末の表示部に表示される画像が視認可能な開口部又は透明部が少なくとも設けられた第２カバーとを有し、
前記第１のカバーと第２のカバーとが嵌装されて携帯端末が収納されることを特徴とする。
【００１６】
上記目的を達成する第１０の発明は、上記第９の発明において、前記第２カバーには、携帯端末の操作に必要な孔が設けられていることを特徴とする。
【００１７】
上記目的を達成する第１１の発明は、上記第１０の発明において、前記第１のカバーと前記第２のカバーとが透明な材質で成形され、前記カバーの内側から塗装可能に構成されていることを特徴とする。
【００１８】
上記目的を達成する第１２の発明は、上記第１１の発明において、前記第１のカバー、又は前記第２のカバーの内側に、塗り分け用のモールが形成されていることを特徴とする。
【００１９】
上記目的を達成する第１３の発明は、配信システムであって、
キャラクターの形状が施された筐体と、画像を表示する表示手段と、画像データのダウンロードを要求する手段と、ダウンロードされた画像データに基づいて、前記表示手段に画像を表示させる画像制御手段とを有する携帯端末と、
前記携帯端末の筐体に施されたキャラクターの一部に対応する画像の画像データが格納された記憶手段と、携帯端末から画像データのダウンロードの要求に応答して、前記携帯端末に画像データを配信する画像配信手段とを有するコンテンツサーバと
を有し、
ダウンロードされた画像データの画像を前記携帯端末の表示部に表示させることにより、前記携帯端末の筐体に施されたキャラクターの形状と、前記携帯端末の表示部に表示されるキャラクターの一部の画像とが一体となって一つのキャラクターを形成することを特徴とする。
【００２０】
上記目的を達成する第１４の発明は、上記第１３の発明において、前記コンテンツサーバは、前記携帯端末の筐体に施されたキャラクターに関連するメロディのメロディデータが格納された記憶手段と、携帯端末からメロディデータのダウンロードの要求に応答して、前記携帯端末にメロディデータを配信するメロディデータ配信手段とを更に有し、
前記携帯端末は、メロディを出力する出力手段と、メロディデータのダウンロードを要求する手段と、ダウンロードされたメロディデータに基づいて、前記出力手段にメロディを出力させるメロディ制御手段とを更に有する
ことを特徴とする。
【００２１】
上記目的を達成する第１５の発明は、携帯端末であって、
キャラクターの形状が施された筐体と、
画像を表示する表示手段と、
前記キャラクターの一部に対応した複数の画像の画像データと、前記各画像に対応したメロディのメロディデータとが通信状況を示す情報に対応して格納された記憶手段と、
前記記憶手段に格納された画像データに基づいて、前記表示手段に画像を表示させる画像制御手段と、
携帯端末の通信状況を判断し、これに対応した画像の画像データを前記記憶手段から読み出して表示手段に表示させるとともに、表示される画像に対応するメロディデータを前記記憶手段から読み出して出力手段にメロディを出力させる手段
とを有する。
【００２４】
上記目的を達成する第１６の発明は、上記第１５の発明において、携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものであることを特徴とする。
【００２５】
上記目的を達成する第１７の発明は、キャラクターの形状が施された収容装置に収容される携帯端末に、画像を配信するサーバであって、
収容装置に施されたキャラクターの一部に対応する画像の画像データが格納された記憶手段と、
携帯端末から画像データのダウンロードの要求に応答して、前記携帯端末に画像データを配信する画像配信手段
とを有することを特徴とする。
【００２６】
上記目的を達成する第１８の発明は、上記第１７の発明において、前記サーバは、
収容装置に施されたキャラクターに関連するメロディのメロディデータが格納された記憶手段と、
携帯端末からメロディデータのダウンロードの要求があると、前記携帯端末にメロディデータを配信するメロディデータ配信手段
とを更に有することを特徴とする。
【００２７】
上記目的を達成する第１９の発明は、上記第１７又は第１８の発明において、
前記サーバは、
携帯端末の通信状況に応じて、収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段
とを更に有することを特徴とする。
【００２８】
上記目的を達成する第２０の発明は、キャラクターの形状の携帯端末に、画像を配信するサーバであって、
前記携帯端末に施されたキャラクターの一部に対応する画像の画像データが格納された記憶手段と、
携帯端末から画像データのダウンロードの要求に応答して、前記携帯端末に画像データを配信する画像配信手段
とを有することを特徴とする。
【００２９】
上記目的を達成する第２１の発明は、上記第２０の発明において、前記サーバは、
前記携帯端末に施されたキャラクターに関連するメロディのメロディデータが格納された記憶手段と、
携帯端末からメロディデータのダウンロードの要求があると、前記携帯端末にメロディデータを配信するメロディデータ配信手段
とを更に有することを特徴とする。
【００３０】
上記目的を達成する第２２の発明は、キャラクターの形状が施された収容装置に収容される携帯端末に、画像を配信するサーバの為のプログラムであって、前記プログラムは前記サーバを、
収容装置に施されたキャラクターの一部に対応する画像の画像データが格納された記憶手段と、
携帯端末から画像データのダウンロードの要求に応答して、前記携帯端末に画像データを配信する画像配信手段として機能させる
こと特徴とする。
【００３１】
上記目的を達成する第２３の発明は、上記第２２の発明において、前記プログラムは、サーバを、
前記収容装置に施されたキャラクターに関連するメロディのメロディデータが格納された記憶手段と、
携帯端末からメロディデータのダウンロードの要求があると、前記携帯端末にメロディデータを配信するメロディデータ配信手段として更に機能させる
ことを特徴とする。
【００３２】
上記目的を達成する第２４の発明は、上記第２２又は第２３の発明において、前記プログラムは、サーバを、
携帯端末の通信状況に応じて、収容装置に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段として更に機能させる
ことを特徴とする。
【００３３】
上記目的を達成する第２５の発明は、キャラクターの形状の携帯端末に、画像を配信するサーバの為のプログラムであって、前記プログラムは前記サーバを、
前記携帯端末に施されたキャラクターの一部に対応する画像の画像データが格納された記憶手段と、
携帯端末から画像データのダウンロードの要求に応答して、前記携帯端末に画像データを配信する画像配信手段として機能させる
ことを特徴とする。
【００３４】
上記目的を達成する第２６の発明は、上記第２５の発明において、前記プログラムは、
前記携帯端末に施されたキャラクターに関連するメロディのメロディデータが格納された記憶手段と、
携帯端末からメロディデータのダウンロードの要求があると、前記携帯端末にメロディデータを配信するメロディデータ配信手段として更に機能させる
ことを特徴とする。
【００３５】
上記目的を達成する第２７の発明は、上記第２５又は第２６の発明において、前記プログラムは、サーバを、
携帯端末の通信状況に応じて、携帯端末に施されたキャラクターの一部に対応した複数の画像の画像データと、前記各画像に対応したメロディのメロディデータとが格納された記憶手段と、
携帯端末から各画像データとこれに対応したメロディデータのダウンロードの要求に応答して、前記携帯端末に画像データ及びメロディデータを配信する画像配信手段として更に機能させる
ことを特徴とする。
【００３６】
上記目的を達成する第２８の発明は、キャラクターの形状の携帯端末、又はキャラクターの形状の収容装置に収容された携帯端末のプログラムであって、前記プログラムは前記携帯端末を、
携帯端末の通信状況に応じて、キャラクターの一部に対応した複数の画像の画像データと、前記各画像に対応したメロディのメロディデータとが通信状況を示す情報に対応して格納された記憶手段と、
画像を表示する表示手段と、
メロディを出力する出力手段と、
通信状況を判断し、これに対応した画像の画像データを前記記憶手段から読み出して表示手段に表示させるとともに、表示される画像に対応するメロディデータを前記記憶手段から読み出して出力手段にメロディを出力させる手段として機能させる
こと特徴とする。
【００３７】
上記目的を達成する第２９の発明は、上記第２８の発明において、携帯端末の通信状況が、呼の待ち受け状況、呼の着信状況及び電子メールの着信状況であり、記憶手段に格納されている画像データ及びメロディデータが、前記呼の待ち受け状況、呼の着信状況及び電子メールの着信状況に対応したものである
ことを特徴とする。
【００３８】
上記目的を達成する第３０の発明は、コンテンツサーバから所定のキャラクターの一部の画像をダウンロードし、その画像を表示する携帯端末が収容される収容装置であって、
前記ダウンロードされる画像に対応するキャラクターの形状が施され、少なくとも携帯端末の表示部が視認可能な開口部又は透明部が設けられた
ことを特徴とする。
【００３９】
上記目的を達成する第３１の発明は、上記第３０の発明において、前記収容装置は、
キャラクター背面側の形状が施された第１のカバーと、
前記キャラクターの正面側の形状が施され、かつ、前記携帯端末の表示部に表示される画像が視認可能な開口部又は透明部が少なくとも設けられた第２カバーとを有し、
前記第１のカバーと第２のカバーとが嵌装されて携帯端末が収納されることを特徴とする。
【００４０】
上記目的を達成する第３２の発明は、上記第３１の発明において、前記第２カバーには、携帯端末の操作に必要な孔が設けられていることを特徴とする。
【００４１】
上記目的を達成する第３３の発明は、上記第３２の発明において、前記第１のカバーと前記第２のカバーとが透明な材質で成形され、前記カバーの内側から塗装可能に構成されていることを特徴とする。
【００４２】
上記目的を達成する第３４の発明は、上記第３３の発明において、前記第１のカバー、又は前記第２のカバーの内側に、塗り分け用のモールが形成されていることを特徴とする。
【００４３】
【発明の実施の形態】
本発明の第１の実施の形態を説明する。尚、本実施の形態では、携帯端末の例として、代表的な携帯電話を例にして説明するが、本発明は携帯電話に限定されることなく、例えばＰＤＡのような携帯端末であっても良い。
【００４４】
図１は第１の実施の形態の概念図である。
【００４５】
図１中、１は携帯電話であり、２はコンテンツを提供するコンテンツサーバ、３はゲートウェイサーバであり、４は基地局であり、５はゲートウェイサーバ３側の固定通信網であり、６はゲートウェイサーバ３とコンテンツサーバ２とを結ぶ通信網（インターネット）であり、７は移動体通信網である。
【００４６】
次に、携帯電話１とコンテンツサーバ２について詳細に説明する。尚、ゲートウェイサーバ３、基地局４、固定通信網５、通信網６及び移動体通信網７は、既知の技術なので詳細な説明を省略する。
【００４７】
携帯電話１について説明する。
【００４８】
携帯電話１は、図２に示される如く、携帯電話本体１ａと、携帯電話本体１ａを収容する収容装置１ｂ（携帯電話カバー）とから成る。
【００４９】
まず、携帯電話本体１ａについて説明する。
【００５０】
図３は携帯電話本体１ａのブロック図である。
【００５１】
図３中、１１はデータを送受信する為の送受信部である。
【００５２】
１２はデータが記憶される記憶部である。
【００５３】
１３はダウンロード制御部である。このダウンロード制御部１３は、コンテンツサーバ２に画像データのダウンロードを要求から、ダウンロードされた画像データの記憶部１２への格納処理等までの処理を行うものである。
【００５４】
１４は画像が表示されるディスプレイである。
【００５５】
１５は画像制御部である。この画像制御部１５は、記憶部１２に格納されている画像データを読み出し、読み出したデータに基づいて、ディスプレイ１１に画像を表示する。
【００５６】
１６はテンキーなどの操作部である。
【００５７】
次に、収容装置１ｂ（携帯電話カバー）について説明する。
【００５８】
図４は収容装置１ｂを説明する為の図である。
【００５９】
収容装置１ｂは、第１のカバー２０と第２のカバー２１とから成り、その形状を説明すると、後述するように携帯電話本体１ａのディスプレイ１１にキャラクターの一部の画像が表示されるので、ディスプレイ１１で表示されるキャラクターの画像と、第１のカバー２０と第２のカバー２１とに施されたキャラクターの形状とで、一つのキャラクターを表現できるよう、第１のカバー２０と第２のカバー２１とにキャラクターの形状が施される。例えば、ディスプレイ１１に表示される画像が、あるキャラクターの顔の部分の画像であるならば、収容装置１ｂの形状はキャラクターの顔以外の部分の形状が施される。
【００６０】
第１のカバー２０は、あるキャラクター（例えば、犬）の正面側の形状が形成されており、さらに、第１のカバー２０には、アンテナ孔や、送受話に必要な孔及びディスプレイ１１が視認可能な開口部２２が設けられている。尚、本実施の形態では、ディスプレイ１１に表示される画像が視認可能なのように開口部としたが、これに限定されることなくディスプレイ１１に対応する位置を視認可能に透明にしても良い。第２のカバー２１は、前記キャラクター（例えば、犬）の背面側の形状が形成されている。そして、図５に示される如く、第１のカバー２０の凹部２３に、第２のカバー２１の凸部２４を嵌装し、携帯電話本体１ａの全体を収容・カバーし、第１のカバー２０と第２のカバー２１とが嵌装された状態で一つのキャラクターが構成される。
【００６１】
第１のカバー２０と、第２のカバー２１とは、着色性と電気特性のよいプラスチック製が好ましく、例えば、透明ＡＢＳ樹脂等が考えられる。
【００６２】
本実施の形態では、第１のカバー２０と第２のカバー２１とは、透明ＡＢＳ樹脂で成形され、ユーザが好みの色で着色できるように構成されている。塗装は、塗装面の保護のため、第１のカバー２０と第２のカバー２１ともに内側から塗装される。また、第１のカバー２０と第２のカバー２１との塗装面側（内側）にはモール２５が形成され、ユーザが簡単、かつ綺麗に塗り分け塗装できるようになっている。
【００６３】
上記の如く、塗装された第１のカバー２０と第２のカバー２１とを、携帯電話本体１ａを挟み込んだ状態で嵌装することにより、彩色されたキャラクター形状をした携帯電話１が構成される。
【００６４】
次に、コンテンツサーバ２について説明する。
【００６５】
図６はコンテンツサーバ２のブロック図である。
【００６６】
図６中、３０はデータの送受信を行う送受信部である。
【００６７】
３１は携帯電話１で表示される画像の画像データが格納された画像データベースである。この画像データベース３１に格納されている画像データの画像は、携帯電話１で使用されているキャラクターに関連する画像であって、図７に示されるごとく、例えば、キャラクターの顔（笑顔や、泣き顔）、又はその一部の画像である。
【００６８】
画像データベース３１には、図８に示す如く、キャラクター毎、例えば、“犬“、“猫”といったグループ毎にフォルダが設けられ、各フォルダにはそのキャラクターに関連する画像として、例えば、笑顔、泣き顔といった画像の画像データが格納されている。
【００６９】
３２は画像配信部である。この画像配信部３２は、携帯電話１からの画像ダウンロードの要求に応答して、メニュー画面を送信してメニュー画面から希望するキャラクターに対応する画像を選択させ、選択された画像の画像データを画像データベース３１から読み出し、携帯電話１に画像を配信する。
【００７０】
次に、本実施の形態の動作を説明する。
【００７１】
図９は本実施の形態の動作を説明する動作フローチャートである。
【００７２】
まず、携帯電話１のダウンロード制御部１３は、ゲートサーバ３を介して、コンテンツサーバ２に画像のダウンロード要求を行う（Ｓｔｅｐ  １００）。
【００７３】
ダウンロード要求を受信したコンテンツサーバ２では、画像配信部３２がダウンロードの要求を行った携帯電話１にメニュー画面を送信する（Ｓｔｅｐ  １０１）。
【００７４】
携帯電話１ではメニュー画面を受信し（Ｓｔｅｐ  １０２）、ディスプレイ１４にメニュー画面が表示される（Ｓｔｅｐ  １０３）。携帯電話１のユーザは、メニュー画面に表示された現在ダウンロードが可能な画像のうち、自分が保有する収容装置１ｂ（携帯電話カバー）のキャラクターに対応する画像を選択し（Ｓｔｅｐ  １０４）、選択した画像のダウンロード要求を行う（Ｓｔｅｐ  １０５）。
【００７５】
例えば、図１０に示されるメニュー画面では、現在ダウンロードが可能な画像は、キャラクター“犬”の“笑顔“の画像、キャラクター“犬”の“泣き顔“の画像、キャラクター“猫”の“笑顔“の画像及びキャラクター“猫”の“泣き顔“の画像である。そして、携帯電話１のユーザが保有している収容装置１ｂのキャラクターは“犬”である。そこで、ユーザは、キャラクター“犬”の“笑顔“の画像を選択したとすると、携帯端末１のダウンロード制御部１３は、ゲートサーバ３を介して、キャラクター“犬”の“笑顔“の画像のダウンロード要求を、コンテンツサーバ２に行う。
【００７６】
画像のダウンロード要求を受信したコンテンツサーバ２は、要求を受信し（Ｓｔｅｐ  １０６）、要求された画像の画像データを画像データベース３１から読み出す（Ｓｔｅｐ  １０７）。そして、読み出した画像データを携帯電話１に送信する（Ｓｔｅｐ  １０８）。
【００７７】
例えば、携帯電話１からの要求が、キャラクター“犬”の“笑い顔“の画像のダウンロード要求である場合には、画像データベース３１からキャラクター“犬”の“笑い顔“の画像データが読み出され、携帯電話１に送信される。
【００７８】
携帯電話１では、ダウンロードされた画像を受信し（Ｓｔｅｐ  １０９）、記憶部１３に格納する（Ｓｔｅｐ  １１０）。そして、画像制御部１５により読み出され、ディスプレイ１４に表示され、待ち受け画面等に用いられる（Ｓｔｅｐ１１１）。
【００７９】
図１１は、携帯電話本体１ａが収容装置１ｂに収容され、かつ、ダウンロードされたキャラクター“犬”の“笑顔“の画像がディスプレイ１４に表示された状態を示すものである。
【００８０】
図１１からも容易に理解できるように、ダウンロードされたキャラクター“犬”の“笑顔“の画像と、収容装置１ｂに施された形状とが一体となって、キャラクター（例えば、犬）が表現されているのが解る。
【００８１】
また、上述の例では“笑顔“の画像がディスプレイ１４で表示されているが、キャラクターの“泣き顔“の画像をダウンロードして、ディスプレイ１４に表示すれば、図１２に示される如く、笑顔のキャラクターとは異なった泣き顔のキャラクターを表現することができる。
【００８２】
このように、本発明では、収容装置１ｂに施された形状と、ダウンロードされた画像とが一体となって、ひとつのキャラクターを表現することができ、携帯電話本体のディスプレイに表示する画像を変えれば、異なる状態のキャラクターを表現することができる。
【００８３】
尚、上述の実施例では、ユーザが好みに合わせて自由に塗装できるよう、収容装置１ｂを透明な材質としたが、予め着色が施されたもの、例えば多色成形で形成されたものであっても良い。また、収容装置１ｂの材質も、ＡＢＳ樹脂に限らず、ＰＶＣのようなものであっても良い。
【００８４】
また、収容装置１ｂを用いず、携帯電話本体の形状をキャラクターのように形成しても良い。
【００８５】
更に、ダウンロードする画像も、キャラクターの顔に相当する画像に限らず、キャラクターによっては手や足の画像であっても良い。また、画像も静止画に限らず、例えば、笑顔から泣き顔に変化するような動画であっても良い。
【００８６】
第２の実施の形態を説明する。
【００８７】
第２の実施の形態は、上述した第１の実施の形態に加えて、収納装置１ｂのキャラクターに関連した着信メロディ（着信音）をコンテンツサーバ２に格納しておく。そして、着信メロディ１を携帯電話１にダウンロードし、着信音等に用いることにより、より一層キャラクターの特徴を表現することを特徴とする。
【００８８】
上記機能を達成する為、図１３に示される如く、コンテンツサーバ２に着信音データベース５０と、着信音を配信する着信音配信部５１とを設ける。
【００８９】
また、図１４に示される如く、携帯電話本体１ａのダウンロード制御部１３に、コンテンツサーバ２から着信音のデータをダウンロードして記憶部１２に格納する機能を付加する。更に、携帯電話本体１ａに、着信音を出力するスピーカ６０と、着信時に記憶部１２に格納されている着信音のデータを読み出し、スピーカ５０に着信音を出力させる着信音制御部５１とを設ける。
【００９０】
次に、上述の構成における動作を説明する。
【００９１】
図１５は第２の実施の形態の動作を示すフローチャートである。
【００９２】
まず、携帯端末１のダウンロード制御部１３は、ゲートサーバ３を介して、コンテンツサーバ２に着信音のダウンロード要求を行う（Ｓｔｅｐ  ２００）。
【００９３】
ダウンロード要求を受信したコンテンツサーバ２では、着信音配信部５１がダウンロードの要求を行った携帯電話１にメニュー画面を送信する（Ｓｔｅｐ  ２０１）。
【００９４】
携帯電話１ではメニュー画面を受信し（Ｓｔｅｐ  ２０２）、ディスプレイ１４にメニュー画面が表示される（Ｓｔｅｐ  ２０３）。携帯電話１のユーザは、メニュー画面に表示された現在ダウンロードが可能な着信音のうち、自分が保有する収容装置１ｂ（携帯電話カバー）のキャラクターに対応する着信音を選択し（Ｓｔｅｐ  ２０４）、選択した着信音のダウンロード要求を行う（Ｓｔｅｐ  ２０５）。
【００９５】
例えば、図１６に示されるメニュー画面では、現在ダウンロードが可能な着信音は、キャラクター“犬”の“鳴き声“の着信音と、キャラクター“猫”の“鳴き声“の着信音とである。そして、携帯電話１のユーザが保有している収容装置１ｂのキャラクターが、例えば“犬”である場合、ユーザは、キャラクター“犬”の“鳴き声“の着信音を選択する。すると、携帯電話１のダウンロード制御部１３は、ゲートサーバ３を介して、キャラクター“犬”の“鳴き声“の着信音のデータのダウンロード要求を、コンテンツサーバ２に送信する。
【００９６】
着信音のダウンロード要求を受信したコンテンツサーバ２は、要求を受信し（Ｓｔｅｐ  ２０６）、要求された着信音のデータを着信音データベース５０から読み出す（Ｓｔｅｐ  １０７）。そして、読み出したデータを携帯電話１に送信する（Ｓｔｅｐ  ２０８）。
【００９７】
例えば、携帯電話１からの要求が、キャラクター“犬”の“鳴き声“のダウンロード要求である場合には、着信音データベース５０からキャラクター“犬”の“鳴き声“のデータが読み出され、携帯電話１に送信される。
【００９８】
携帯電話１では、ダウンロードされた着信音のデータを受信し（Ｓｔｅｐ  ２０９）、着信音のデータが記憶部１３に格納される（Ｓｔｅｐ  ２１０）。
【００９９】
そして、着信音制御部５１は、他の携帯電話等からの呼の着信時があるかを判断し（Ｓｔｅｐ  ２１１）、着信がある場合には（Ｓｔｅｐ  ２１２）、着信音制御部５１は、着信メロディのデータを記憶部１３から読み出す。そして、読み出された着信メロディのデータに基づいて、スピーカ５０から着信メロディが出力される（Ｓｔｅｐ  ２１３）。
【０１００】
上記の第２の実施の形態によれば、キャラクターの顔又は一部の画像を待ち受け画面として表示時に、着信があった場合、着信音として、キャラクターに関連する着信音が出力されるので、収納装置１ｂに施されたキャラクターの形状と、表示されている画像とによる視覚的な効果に加え、着信音という聴覚的な効果を得られるので、よりリアルティにキャラクターを表現することができる。
【０１０１】
例えば、第１の実施の形態で説明した如く、携帯電話本体が犬の形状が施された収容装置に収容され、かつ待ち受け画面に犬の笑顔が表示されている状態で、着信があった場合、着信音として、例えば“ワン、ワン”と出力されれば、より犬というキャラクターを表現することができる。
【０１０２】
第３の実施の形態を説明する。
【０１０３】
第３の実施の形態では、複数の画像とこれに対応したメロディとのデータを、コンテンツサーバ２に用意しておき、携帯電話１にダウンロードさせる。そして、携帯電話１では、ダウンロードした各画像及びメロディと、携帯電話の通信状況、例えば、呼の待ち受け状態や、呼の着信時、又はメール着信時といった、異なる通信状況とを対応付けて記憶させておき、それらの画像及びメロディを、通信状況に応じて切り替えて表示及び出力することを特徴とする。以下、具体的な実施の形態を説明する。尚、上述した実施の形態と同様なものについては、説明を省略する。
【０１０４】
図１７はコンテンツサーバ２のブロック図である。
【０１０５】
図１７中、６１は携帯電話１で表示・出力される画像及びメロディのデータが格納された画像・メロディデータベースである。この画像・メロディデータベース６１に格納されているデータは、携帯電話１で使用されているキャラクターに関連する画像・メロディであって、携帯電話１の通信状況、ここでは呼の待ち受け時、呼の着信時及び電子メール着信時に使用される画像・メロディのデータが格納されている。画像・メロディデータベース６１に格納されている画像・メロディのデータの具体例を図１８に示す。図１８によれば、キャラクター画像“笑顔”とメロディ“ワン、ワン”の組と、キャラクター画像“泣き顔”とメロディ“キャン、キャン”の組と、キャラクター画像“怒顔”とメロディ“ウーッ、ウーッ”の組とが格納されている。
【０１０６】
６２は画像・メロディ配信部である。この画像・メロディ配信部６２は、携帯電話１からの画像・メロディのダウンロードの要求に応答して、上述した複数の画像・メロディのデータを携帯電話１に送信する。
【０１０７】
次に、携帯電話本体１ａについて説明する。
【０１０８】
図１９は携帯電話本体１ａのブロック図である。
【０１０９】
図１９中、７０は通信状況判断部である。この通信状況判断部７０は、現在の携帯電話の通信状況、ここでは呼の待ち受け時と、呼の着信時と、電子メールの着信時とを判別するものである。
【０１１０】
７１はデータ格納部である。このデータ格納部７１は、ダウンロードされたデータを、通信状況に対応させて記憶部１２に格納するものである。格納方法であるが、ユーザの選択により、例えば、呼の待ち受け時にはキャラクター画像“泣き顔”とメロディ“キャン、キャン”の組と、呼の着信時にはキャラクター画像“笑顔”とメロディ“ワン、ワン”の組と、電子メールの着信時にはキャラクター画像“怒顔”とメロディ“ウーッ、ウーッ”の組というように、通信状況と画像・メロディデータとを対応付けて記憶手段１２に格納する。
【０１１１】
７２は表示・出力制御部である。この表示・出力制御部７２は、通信状況判断部７０からの通信状況を受けて、この状況に対応した画像・メロディデータを区億部１２から読み出し、ディスプレイ１４に画像を表示するとともに、スピーカ６０からメロディを出力させる。但し、待ち受け時は画像の表示のみとする。
【０１１２】
続いて、上述の構成における動作を説明する。尚、コンテンツサーバ２からの画像・メロディデータのダウンロードは、上述した実施の形態と同様なものなので説明を省略する。
【０１１３】
図２０は携帯電話１における動作のフローチャートである。
【０１１４】
まず、携帯電話１は、コンテンツサーバ２から画像・メロディデータを受信し（Ｓｔｅｐ  ３００）、データ格納部７１により、受信した画像・メロディデータと、通信状況との対応付けが行われる（Ｓｔｅｐ  ３０１）。そして、通信状況の情報と画像・メロディデータとが対応付けられて記憶部１２に格納される（Ｓｔｅｐ  ３０２）。
【０１１５】
ここでは、呼の待ち受け時と、キャラクター画像“泣き顔”とメロディ“キャン、キャン”の組とが、呼の着信時と、キャラクター画像“笑顔”とメロディ“ワン、ワン”の組とが、電子メールの着信時と、キャラクター画像“怒顔”とメロディ“ウーッ、ウーッ”の組とが対応付けられて記憶手段１２に格納されたものとする。
【０１１６】
続いて、通信状況判断部７０は、携帯電話１の現在の通信状況を判断し、表示・出力制御部７２に通信状況を出力する（Ｓｔｅｐ  ３０３）。
【０１１７】
表示・出力制御部７２は、通信状況に対応した画像・メロディデータを記憶部１２から読み出し（Ｓｔｅｐ  ３０４）、ディスプレイ１４及びスピーカ６０に出力して画像を表示し、メロディを出力する（Ｓｔｅｐ  ３０５）。
【０１１８】
具体的に説明すると、呼の待ち受け時には、図２１に示す如く、“泣き顔”の画像がディスプレイ１４に表示される。そして、呼が着信すると、図２２に示す如く、ディスプレイ１４の画像が“笑顔”に切り替えられるとともに、スピーカ６０からメロディ“ワン、ワン”が出力される。また、電子メールの着信には、図２３に示す如く、ディスプレイ１４には“怒顔”の画像が表示されるとともに、スピーカ６０よりメロディ“ウーッ、ウーッ”が出力される。
【０１１９】
このように、通信状況によって画像・メロディが変化し、より一層、収容装置のキャラクターとともに、視覚・聴覚的な変化を楽しむことができる。
【０１２０】
尚、第１の実施の形態、第２の実施の形態及び第３の実施の形態で述べた動作と同様な動作をコンピュータ等の情報処理装置に行わせるプログラムにより、コンテンツサーバ２を動作させても良い。
【０１２１】
また、第１の実施の形態、第２の実施の形態及び第３の実施の形態では、画像又はメロディをコンテンツサーバよりダウンロードして得たが、予め携帯電話本体に記憶させておいても（例えば、プリインストール）、携帯電話側では同様な効果が得られる。
【０１２２】
【発明の効果】
本発明は、携帯端末を収容する収容装置をキャラクター形状とし、その収容装置に携帯端末を収容した状態で、サーバよりダウンロードしたキャラクターに関連する画像を携帯端末に表示することにより、収容装置に施されたキャラクターの形状と、ダウンロードされた画像とが一体となって、ひとつのキャラクターを表現することができる。
【０１２３】
また、表示する画像を複数用意し、携帯電話本体のディスプレイに表示する画像を変えるようにすれば、異なる状態のキャラクターを表現することができる。
【０１２４】
また、着信音を同様にサーバからダウンロード可能とし、ダウンロードされた着信音がキャラクターに関連する画像の表示時に出力されるので、収納装置に施されたキャラクターの形状と、表示されている画像とによる視覚的な効果に加え、着信音という聴覚的な効果を得られるので、よりリアルティにキャラクターを表現することができる。
【０１２５】
さらに、複数の画像・メロディを用意し、携帯端末の通信状況によって画像・メロディが変化させるようにすれば、より一層、収容装置又は携帯端末に施されたキャラクターとともに、視覚・聴覚的な変化を楽しむことができる。
【図面の簡単な説明】
【図１】図１は本発明の実施の形態の概念図である。
【図２】図２は携帯電話１を説明する為の図である。
【図３】図３は携帯電話本体１ａのブロック図である。
【図４】図４は収容装置１ｂを説明する為の図である。
【図５】図５は収容装置１ｂを説明する為の図である。
【図６】図６はコンテンツサーバ２のブロック図である。
【図７】図７は格納されている画像の一例を示す図である。
【図８】図８は画像データベース３１を説明する為の図である。
【図９】図９は本実施の形態の動作を説明する動作フローチャートである。
【図１０】図１０はメニュー画面の表示例を示す図である。
【図１１】図１１は、携帯電話本体１ａが収容装置１ｂに収容され、かつ、ダウンロードされたキャラクター“犬”の“笑顔“の画像がディスプレイ１４に表示された状態を説明する図である。
【図１２】図１２は、携帯電話本体１ａが収容装置１ｂに収容され、かつ、ダウンロードされたキャラクター“犬”の“泣き顔“の画像がディスプレイ１４に表示された状態を説明する図である。
【図１３】図１３は第２の実施の形態におけるコンテンツサーバ２のブロック図である。
【図１４】図１４は第２の実施の形態における携帯電話本体１ａのブロック図である。
【図１５】図１５は第２の実施の形態の動作を示すフローチャートである。
【図１６】図１６は第２の実施の形態におけるメニュー画面を説明する為の図である。
【図１７】図１７は第３の実施の形態におけるコンテンツサーバ２のブロック図である。
【図１８】図１８は画像・メロディデータを説明する為の図である。
【図１９】図１９は第３の実施の形態における携帯電話本体１ａのブロック図である。
【図２０】図２０は第３の実施の形態における携帯電話１における動作のフローチャートである。
【図２１】図２１は第３の実施の形態における携帯電話１の表示・出力状態を説明する図である。
【図２２】図２２は第３の実施の形態における携帯電話１の表示・出力状態を説明する図である。
【図２３】図２３は第３の実施の形態における携帯電話１の表示・出力状態を説明する図である。
【符号の説明】
１          携帯電話
１ａ        携帯電話本体
１ｂ        収容装置
２        コンテンツサーバ
３        ゲートウェイサーバ
４        基地局
５        固定通信網
６        通信網（インターネット）
７        移動体通信網
【図１】
0004249915.tif 000002
【図２】
0004249915.tif 000003
【図３】
0004249915.tif 000004
【図４】
0004249915.tif 000005
【図５】
0004249915.tif 000006
【図６】
0004249915.tif 000007
【図７】
0004249915.tif 000008
【図８】
0004249915.tif 000009
【図９】
0004249915.tif 000010
【図１０】
0004249915.tif 000011
【図１１】
0004249915.tif 000012
【図１２】
0004249915.tif 000013
【図１３】
0004249915.tif 000014
【図１４】
0004249915.tif 000015
【図１５】
0004249915.tif 000016
【図１６】
0004249915.tif 000017
【図１７】
0004249915.tif 000018
【図１８】
0004249915.tif 000019
【図１９】
0004249915.tif 000020
【図２０】
0004249915.tif 000021
【図２１】
0004249915.tif 000022
【図２２】
0004249915.tif 000023
【図２３】
0004249915.tif 000024